(57)【要約】【課題】ユーザによる印刷物の正確な回収を支援すること。【解決手段】サーバ１０は、第一のユーザの識別情報と印刷ジョブと該印刷ジョブの出力指示との入力を受け付ける。サーバ１０は、第一のユーザの識別情報と印刷ジョブとを対応付けて記憶する。サーバ１０は、印刷ジョブの出力指示を画像形成装置３０に送信した後、所定期間内に印刷ジョブに対応付けて記憶された第一のユーザの識別情報を受信しない場合に、第一のユーザに対し、所定の情報を通知する。このように、サーバ１０は、回収されていない印刷物が存在する場合、印刷を依頼したユーザにその旨を通知する。【選択図】図１
2020201680.tif 000002
【特許請求の範囲】
【請求項１】
第一のユーザの識別情報と印刷ジョブと該印刷ジョブの出力指示との入力を受け付け、
前記第一のユーザの識別情報と前記印刷ジョブとを対応付けて記憶し、
前記印刷ジョブの出力指示を画像形成装置に送信した後、所定期間内に前記印刷ジョブに対応付けて記憶された前記第一のユーザの識別情報を受信しない場合に、前記第一のユーザに対し、所定の情報を通知する、
処理をコンピュータに実行させることを特徴とする印刷管理プログラム。
【請求項２】
前記第一のユーザに対する通知回数に基づいて、前記印刷ジョブの前記画像形成装置への出力を禁止する処理をコンピュータに実行させることを特徴とする請求項１に記載の印刷管理プログラム。
【請求項３】
前記第一のユーザからの確認依頼の受信に応じて、入力を受け付けた前記印刷ジョブの出力指示を前記画像形成装置に送信した第一の時点から前記確認依頼を受信した第二の時点までの間に前記画像形成装置から受信した前記第一のユーザ以外の第二のユーザの識別情報を出力する、
処理をコンピュータに実行させることを特徴とする請求項１又は２に記載の印刷管理プログラム。
【請求項４】
第一のユーザの識別情報と印刷ジョブとの入力を受け付け、
前記第一のユーザの識別情報と前記印刷ジョブとを対応付けて記憶し、
前記第一のユーザの識別情報を受信した場合に、前記第一のユーザの識別情報に対応付けて記憶された前記印刷ジョブの出力指示を画像形成装置に送信し、
前記出力指示の送信後、所定期間内に再度前記第一のユーザの識別情報を受信しない場合に前記第一のユーザに対し、所定の情報を通知する、
処理をコンピュータに実行させることを特徴とする印刷管理プログラム。
【請求項５】
第一のユーザの識別情報と印刷ジョブと前記第一のユーザ以外の第二のユーザの識別情報との入力を受け付け、
前記印刷ジョブと前記第二のユーザの識別情報とを対応づけて記憶し、
前記第二のユーザの識別情報を受信した場合に、前記第二のユーザの識別情報に対応づけられて記憶されていた前記印刷ジョブの出力指示を画像形成装置に送信し、
前記出力指示の送信後の所定期間内に再度前記第二のユーザの識別情報を受信しない場合に、前記第一のユーザの識別情報に基づき前記第一のユーザに対し、所定の情報を通知する、
処理をコンピュータに実行させることを特徴とする印刷管理プログラム。
【請求項６】
前記出力指示の送信後の所定期間内に前記第二のユーザの識別情報を受信した場合に、前記第一のユーザに対し、前記第二のユーザに関する情報を含む情報を通知する処理をコンピュータに実行させることを特徴とする請求項５に記載の印刷管理プログラム。
【請求項７】
第一のユーザの識別情報と印刷ジョブと該印刷ジョブの出力指示との入力を受け付け、
前記第一のユーザの識別情報と前記印刷ジョブとを対応付けて記憶し、
前記印刷ジョブの出力指示を画像形成装置に送信した後、所定期間内に前記印刷ジョブに対応付けて記憶された前記第一のユーザの識別情報を受信しない場合に、前記第一のユーザに対し、所定の情報を通知する、
処理をコンピュータが実行することを特徴とする印刷管理方法。
【請求項８】
第一のユーザの識別情報と印刷ジョブとの入力を受け付け、
前記第一のユーザの識別情報と前記印刷ジョブとを対応付けて記憶し、
前記第一のユーザの識別情報を受信した場合に、前記第一のユーザの識別情報に対応付けて記憶された前記印刷ジョブの出力指示を画像形成装置に送信し、
前記出力指示の送信後、所定期間内に再度前記第一のユーザの識別情報を受信しない場合に前記第一のユーザに対し、所定の情報を通知する、
処理をコンピュータが実行することを特徴とする印刷管理方法。
【請求項９】
第一のユーザの識別情報と印刷ジョブと前記第一のユーザ以外の第二のユーザの識別情報との入力を受け付け、
前記印刷ジョブと前記第二のユーザの識別情報とを対応づけて記憶し、
前記第二のユーザの識別情報を受信した場合に、前記第二のユーザの識別情報に対応づけられて記憶されていた前記印刷ジョブの出力指示を画像形成装置に送信し、
前記出力指示の送信後の所定期間内に再度前記第二のユーザの識別情報を受信しない場合に、前記第一のユーザの識別情報に基づき前記第一のユーザに対し、所定の情報を通知する、
処理をコンピュータが実行することを特徴とする印刷管理方法。
【請求項１０】
第一のユーザの識別情報と印刷ジョブと該印刷ジョブの出力指示との入力を受け付ける受付部と、
前記第一のユーザの識別情報と前記印刷ジョブとを対応付けて記憶する記憶部と、
前記印刷ジョブの出力指示を画像形成装置に送信した後、所定期間内に前記印刷ジョブに対応付けて記憶された前記第一のユーザの識別情報を受信しない場合に、前記第一のユーザに対し、所定の情報を通知する通知部と、
を有することを特徴とする印刷管理装置。
【請求項１１】
第一のユーザの識別情報と印刷ジョブとの入力を受け付ける受付部と、
前記第一のユーザの識別情報と前記印刷ジョブとを対応付けて記憶する記憶部と、
前記第一のユーザの識別情報を受信した場合に、前記第一のユーザの識別情報に対応付けて記憶された前記印刷ジョブの出力指示を画像形成装置に送信する指示部と、
前記出力指示の送信後、所定期間内に再度前記第一のユーザの識別情報を受信しない場合に前記第一のユーザに対し、所定の情報を通知する通知部と、
を有することを特徴とする印刷管理装置。
【請求項１２】
第一のユーザの識別情報と印刷ジョブと前記第一のユーザ以外の第二のユーザの識別情報との入力を受け付ける受付部と、
前記印刷ジョブと前記第二のユーザの識別情報とを対応づけて記憶する記憶部と、
前記第二のユーザの識別情報を受信した場合に、前記第二のユーザの識別情報に対応づけられて記憶されていた前記印刷ジョブの出力指示を画像形成装置に送信する指示部と、
前記出力指示の送信後の所定期間内に再度前記第二のユーザの識別情報を受信しない場合に、前記第一のユーザの識別情報に基づき前記第一のユーザに対し、所定の情報を通知する通知部と、
を有することを特徴とする印刷管理装置。
【請求項１３】
サーバと、端末と、画像形成装置と、を有する印刷管理システムであって、
前記サーバは、
第一のユーザの識別情報と印刷ジョブと該印刷ジョブの出力指示との入力を受け付ける受付部と、
前記第一のユーザの識別情報と前記印刷ジョブとを対応付けて記憶する記憶部と、
前記印刷ジョブの出力指示を前記画像形成装置に送信した後、所定期間内に前記印刷ジョブに対応付けて記憶された前記第一のユーザの識別情報を受信しない場合に、前記第一のユーザに対し、所定の情報を通知する通知部と、
を有し、
前記端末は、
ユーザの操作に応じて、前記ユーザの識別情報を前記サーバに送信する送信部を有することを特徴とする印刷管理システム。
【請求項１４】
サーバと、端末と、画像形成装置と、を有する印刷管理システムであって、
第一のユーザの識別情報と印刷ジョブとの入力を受け付ける受付部と、
前記第一のユーザの識別情報と前記印刷ジョブとを対応付けて記憶する記憶部と、
前記第一のユーザの識別情報を受信した場合に、前記第一のユーザの識別情報に対応付けて記憶された前記印刷ジョブの出力指示を画像形成装置に送信する指示部と、
前記出力指示の送信後、所定期間内に再度前記第一のユーザの識別情報を受信しない場合に前記第一のユーザに対し、所定の情報を通知する通知部と、
を有し、
前記端末は、
ユーザの操作に応じて、前記ユーザの識別情報を前記サーバに送信する送信部を有することを特徴とする印刷管理システム。
【請求項１５】
サーバと、端末と、画像形成装置と、を有する印刷管理システムであって、
前記サーバは、
第一のユーザの識別情報と印刷ジョブと前記第一のユーザ以外の第二のユーザの識別情報との入力を受け付ける受付部と、
前記印刷ジョブと前記第二のユーザの識別情報とを対応づけて記憶する記憶部と、
前記第二のユーザの識別情報を受信した場合に、前記第二のユーザの識別情報に対応づけられて記憶されていた前記印刷ジョブの出力指示を画像形成装置に送信する指示部と、
前記出力指示の送信後の所定期間内に再度前記第二のユーザの識別情報を受信しない場合に、前記第一のユーザの識別情報に基づき前記第一のユーザに対し、所定の情報を通知する通知部と、
を有し、
前記端末は、
ユーザの操作に応じて、前記ユーザの識別情報を前記サーバに送信する送信部を有することを特徴とする印刷管理システム。
【発明の詳細な説明】
【技術分野】
【０００１】
本発明は、印刷管理プログラム、印刷管理方法、印刷管理装置及び印刷管理システム
に関する。
【背景技術】
【０００２】
従来、印刷物の出力依頼を行ったユーザが認証されたユーザである場合にのみ、当該印刷物の出力を行うようにすることでセキュリティを担保する複合機が知られている。
【先行技術文献】
【特許文献】
【０００３】
【特許文献１】特開２００６−２６８５４２号公報
【特許文献２】特開２００８−１００３７０号公報
【特許文献３】特開２０１１−９０６９８号公報
【特許文献４】特開２０１７−６５０２３号公報
【発明の概要】
【発明が解決しようとする課題】
【０００４】
しかしながら、上記の技術では、ユーザが印刷物を確実に回収することができない場合があるという問題がある。例えば、上記の技術では、印刷を依頼したユーザが印刷物を回収する前に、他のユーザが誤って印刷物を回収してしまい、印刷を依頼したユーザが印刷物を回収することができなくなることが考えられる。
【０００５】
１つの側面では、印刷物の正確な回収を支援することを目的とする。
【課題を解決するための手段】
【０００６】
１つの態様において、印刷管理プログラムは、第一のユーザの識別情報と印刷ジョブと該印刷ジョブの出力指示との入力を受け付ける処理をコンピュータに実行させる。印刷管理プログラムは、第一のユーザの識別情報と印刷ジョブとを対応付けて記憶する処理をコンピュータに実行させる。印刷管理プログラムは、印刷ジョブの出力指示を画像形成装置に送信した後、所定期間内に印刷ジョブに対応付けて記憶された第一のユーザの識別情報を受信しない場合に、第一のユーザに対し、所定の情報を通知する処理をコンピュータに実行させる。
【発明の効果】
【０００７】
１つの側面では、印刷物の正確な回収を支援することができる。
【図面の簡単な説明】
【０００８】
【図１】図１は、実施例１に係る印刷管理システムの処理の流れを示す図である。
【図２】図２は、サーバの機能構成の例を示す図である。
【図３】図３は、回収依頼通知画面の一例を示す図である。
【図４】図４は、回収履歴画面の一例を示す図である。
【図５】図５は、端末の機能構成の例を示す図である。
【図６】図６は、後認証画面の一例を示す図である。
【図７】図７は、実施例１に係る通知処理の流れを示すフローチャートである。
【図８】図８は、実施例２に係る印刷管理システムの処理の流れを示す図である。
【図９】図９は、実施例３に係る印刷管理システムの処理の流れを示す図である。
【図１０】図１０は、実施例４に係る印刷管理システムの処理の流れを示す図である。
【図１１】図１１は、実施例４に係る通知処理の流れを示すフローチャートである。
【図１２】図１２は、ハードウェア構成例を説明する図である。
【発明を実施するための形態】
【０００９】
以下に、本発明に係る印刷管理プログラム、印刷管理方法、印刷管理装置及び印刷管理システムの実施例を図面に基づいて詳細に説明する。なお、この実施例により本発明が限定されるものではない。また、各実施例は、矛盾のない範囲内で適宜組み合わせることができる。
【実施例１】
【００１０】
実施例１に係る印刷管理システムについて説明する。図１は、実施例１に係る印刷管理システムの処理の流れを示す図である。図１に示すように、印刷管理システム１は、サーバ１０、クライアント２０、画像形成装置３０及び端末４０を有する。また、サーバ１０は、クライアント２０及び画像形成装置３０のそれぞれとネットワークを介して接続されているものとする。
【００１１】
クライアント２０はパーソナルコンピュータ等である。また、画像形成装置３０は、文書形式の所定のデータを紙に印字して出力する機能を備えたプリンタ及び複合機等である。以降、文書形式のデータを単に文書と呼ぶ場合がある。また、端末４０はスマートフォン等である。
【００１２】
実施例１における印刷管理システム１の処理の流れを説明する。まず、クライアント２０は、印刷を依頼するユーザの操作に応じて、ユーザの識別情報、印刷ジョブ及び印刷ジョブの出力指示をサーバ１０に送信する（ステップＳ１１）。
【００１３】
サーバ１０は、クライアント２０から送信されたユーザの識別情報、印刷ジョブ及び印刷ジョブの出力指示が入力されると、まず印刷ジョブに関する情報をジョブ管理テーブル１２１に登録する。ここで、印刷ジョブとは、印刷対象の文書及び印刷の実行に必要な各種の情報を含むデータである。印刷ジョブに含まれる各種の情報は、サーバ１０によりジョブ管理テーブル１２１に格納される。
【００１４】
図１に示すように、ジョブ管理テーブル１２１は、「JobName」、「UserID」、「Received」、「OutputTime」、「ReceivedTime」及び「OutputPrinterName」といった項目を有する。「JobName」は、印刷ジョブを識別するための情報であり、例えば文書のファイル名及びファイルパス等である。また、「UserID」は、印刷を依頼したユーザを識別するための情報である。また、「Received」は、出力した印刷物が回収されたか否かを示すフラグである。また、「OutputTime」は、印刷物が画像形成装置３０によって出力された時刻である。また、「ReceivedTime」は、画像形成装置３０によって出力された印刷物が回収された時刻である。また、「OutputPrinterName」は、文書の出力を行う画像形成装置３０を識別するための情報である。
【００１５】
まず、サーバ１０は、印刷ジョブを基に、ジョブ管理テーブル１２１に「JobName」、「UserID」及び「OutputPrinterName」の値を登録する。そして、「Received」には未回収を示す値を登録し、「OutputTime」及び「ReceivedTime」は未登録とする。図１の例では、サーバ１０は、「aaa.txt」というファイルを印刷する印刷ジョブが入力された際に、ジョブ管理テーブル１２１の「JobName」に「aaa.txt」を登録し、「UserID」に「111111」を登録し、「OutputPrinterName」に「printer01」を登録する。このとき、サーバ１０は、「Received」に未回収を示す値である「0」を登録し、「OutputTime」及び「ReceivedTime」は空欄にしておく。
【００１６】
そして、サーバ１０は、画像形成装置３０に、印刷ジョブの出力を指示する（ステップＳ１２）。さらに、サーバ１０は、印刷ジョブの出力が完了したことをクライアント２０に通知する（ステップＳ１３）。
【００１７】
ここで、ユーザは、画像形成装置３０によって出力された印刷物を回収すると（ステップＳ１４）、印刷物を回収したことをサーバ１０に通知するための操作を行う（ステップＳ１５）。例えば、ユーザは、画像形成装置３０に備え付けられたＩＣカードを端末４０に読み取らせる。このとき、端末４０は、画像形成装置３０に対応するＩＣカードを正常に読み取ることができた場合、ユーザの識別情報をサーバ１０に通知することで、印刷物が回収済みであることを通知する（ステップＳ１６）。
【００１８】
サーバ１０は、印刷物が回収済みであることが通知された場合、出力した印刷ジョブについて、ジョブ管理テーブル１２１の「Received」を、回収済みを示す値である「1」に更新する。また、サーバ１０は、ジョブ管理テーブル１２１の「ReceivedTime」を、印刷物が回収された日時に更新する。
【００１９】
また、サーバ１０は、画像形成装置３０によって出力された印刷物が所定期間回収されずに放置されている場合、印刷物の回収を促すための処理を行う。例えば、サーバ１０は定期的にジョブ管理テーブル１２１をチェックし、チェックした日時と「OutputTime」との差が所定期間以上、かつ「Received」が「0」である印刷ジョブを依頼したクライアント２０に対し、印刷物の回収を促すメッセージを通知する。
【００２０】
［機能構成］
図２は、サーバの機能構成の例を示す図である。図２に示すように、サーバ１０は、通信部１１、記憶部１２及び制御部１３を有する。通信部１１は、他の装置との間でデータの通信を行う。例えば、通信部１１はＮＩＣ（Network  Interface  Card）である。
【００２１】
記憶部１２は、データや制御部１３が実行するプログラム等を記憶する記憶装置の一例であり、例えばハードディスクやメモリ等である。記憶部１２は、ジョブ管理テーブル１２１を記憶する。
【００２２】
ジョブ管理テーブル１２１のデータ構成は前述の通りである。記憶部１２は、第一のユーザの識別情報と印刷ジョブとを対応付けてジョブ管理テーブル１２１に記憶する。ここで、第一のユーザは、クライアント２０を操作して印刷ジョブ及び印刷ジョブの出力指示をサーバ１０に送信するユーザである。また、識別情報は、ユーザＩＤであり、ジョブ管理テーブル１２１の「UserID」に対応する。
【００２３】
制御部１３は、例えば、ＣＰＵ（Central  Processing  Unit）、ＭＰＵ（Micro  Processing  Unit）、ＧＰＵ（Graphics  Processing  Unit）等によって、内部の記憶装置に記憶されているプログラムがＲＡＭを作業領域として実行されることにより実現される。また、制御部１３は、例えば、ＡＳＩＣ（Application  Specific  Integrated  Circuit）やＦＰＧＡ（Field  Programmable  Gate  Array）等の集積回路により実現されるようにしてもよい。制御部１３は、受付部１３１、指示部１３２及び通知部１３３を有する。
【００２４】
受付部１３１は、第一のユーザの識別情報と印刷ジョブと該印刷ジョブの出力指示との入力を受け付ける。受付部１３１は、各情報を通信部１１経由で受け付ける。また、受付部１３１は、受け付けた印刷ジョブに基づく各情報をジョブ管理テーブル１２１に格納する。
【００２５】
指示部１３２は、印刷ジョブの出力指示を画像形成装置３０に送信する。画像形成装置３０は、指示部１３２からの出力指示を受けると、印刷物を出力する。また、通知部１３３は、印刷ジョブの出力が完了したことをクライアント２０に通知する。
【００２６】
実施例１では、クライアント２０からの出力依頼があると、画像形成装置３０はすぐに印刷物の出力を行うことになるが、出力された印刷物はユーザによって回収されるまで、画像形成装置３０に備えられたトレイに置かれる。このとき、印刷物が回収されずにトレイに放置される時間が長くなるに従い、セキュリティ上のリスクは高まる。そこで、通知部１３３は、ユーザに印刷物の回収を促すため以下の処理を行う。
【００２７】
通知部１３３は、印刷ジョブの出力指示を画像形成装置に送信した後、所定期間内に印刷ジョブに対応付けて記憶された第一のユーザの識別情報を受信しない場合に、第一のユーザに対し、所定の情報を通知する。例えば、所定の情報とは、ユーザに印刷物の回収を促す旨のメッセージである。また、このとき通知部１３３は、クライアント２０に対し所定の情報を通知する。
【００２８】
通知部１３３によって所定の情報が通知された場合、クライアント２０は、回収依頼通知画面を表示する。図３は、回収依頼通知画面の一例を示す図である。例えば、図３に示すように、回収依頼通知画面には、「以下の印刷物が回収されていません。回収をしてください。」というメッセージが表示される。また、回収依頼通知画面には、ユーザが出力した未回収の印刷物の一覧が表示される。
【００２９】
「ドキュメント名」は、文書ファイルの名称であり、印刷物を特定するための情報である。「出力プリンタ名」は出力を行った画像形成装置３０を特定するための情報である。「ページ数」及び「部数」は印刷物の量に関する情報である。「印刷依頼完了時刻」は、クライアント２０からサーバ１０に印刷を依頼した日時である。「出力完了時刻」はサーバ１０が画像形成装置３０に印刷物の出力を指示した日時である。
【００３０】
また、指示部１３２は、第一のユーザに対する通知回数に基づいて、印刷ジョブの画像形成装置３０への出力を禁止する。ここでの通知回数は、所定の情報の通知回数である。放置している印刷物の数又は印刷物を放置している時間が増加するに従い、当該印刷物の印刷を依頼したユーザへの通知部１３３による通知回数は増加する。
【００３１】
例えば、指示部１３２は、所定の期間内における通知回数が閾値以上であるユーザから受け付けた印刷ジョブを、画像形成装置３０に指示しないようにする。また、サーバ１０は、画像形成装置３０への印刷ジョブの出力を禁止したユーザを一定期間ブラックリストに掲載しておき、ブラックリストに掲載されたユーザについては通知回数の閾値を下げる等のペナルティを与えるようにしてもよい。
【００３２】
また、通知部１３３は、第一のユーザからの確認依頼の受信に応じて、入力を受け付けた印刷ジョブの出力指示を画像形成装置３０に送信した第一の時点から確認依頼を受信した第二の時点までの間に画像形成装置から受信した第二のユーザの識別情報を出力する。このとき、第二のユーザは第一のユーザ以外のユーザであってもよい。通知部１３３は、画像形成装置３０に依頼した印刷ジョブの履歴を、印刷物を回収したユーザの識別情報とともにクライアント２０に通知する。
【００３３】
印刷ジョブの履歴が通知されると、クライアント２０は回収履歴画面を表示する。図４は、回収履歴画面の一例を示す図である。図４に示すように、回収履歴画面には、印刷物回収ログが表示される。印刷物回収ログの「操作日時」はサーバ１０が画像形成装置３０に印刷物の出力を指示した日時である。「ドキュメント名」は、文書ファイルの名称であり、印刷物を特定するための情報である。「部数」及び「ページ数」は印刷物の量に関する情報である。「ユーザＩＤ」は回収したユーザを識別するための情報である。
【００３４】
また、印刷履歴画面は、指定された「ドキュメント名」に合致する回収ログを、ドキュメントの検索結果として表示する。図４の例では、「ggg.txt」というドキュメントに関する回収ログが表示されている。
【００３５】
図５は、端末の機能構成の例を示す図である。図５に示すように、端末４０は、は、通信部４１、入出力部４２、センサ４３、記憶部４４及び制御部４５を有する。通信部４１は、他の装置との間でデータの通信を行う。例えば、通信部４１はＮＩＣ（Network  Interface  Card）である。
【００３６】
入出力部４２は、データの入力の受け付け及びデータの出力を行う。端末４０がスマートフォンである場合、入出力部４２は、例えばタッチパネルディスプレイである。センサ４３は、例えばカメラである。この場合、センサ４３は、ＩＣカード等に記載された所定のコードの画像を撮影する。また、ＩＣカードには、所定のコードを示すＲＦＩＤタグが埋め込まれていてもよい。この場合、センサ４３は、ＲＦＩＤタグを読み取るためのリーダである。
【００３７】
記憶部１２は、データや制御部１３が実行するプログラム等を記憶する記憶装置の一例であり、例えばハードディスクやメモリ等である。
【００３８】
制御部４５は、例えば、ＣＰＵ、ＭＰＵ、ＧＰＵ等によって、内部の記憶装置に記憶されているプログラムがＲＡＭを作業領域として実行されることにより実現される。また、制御部４５は、例えば、ＡＳＩＣやＦＰＧＡ等の集積回路により実現されるようにしてもよい。制御部４５は、認識部４５１、送信部４５２及び表示制御部４５３を有する。
【００３９】
認識部４５１は、センサ４３が画像を取得する場合に、当該画像からコードを読み取る。この場合の画像は、例えばバーコード及びＱＲコード（登録商標）等である。送信部４５２は、ユーザの操作に応じて、ユーザの識別情報及び所定の情報をサーバ１０に送信する。例えば、送信部４５２は、ユーザの識別情報とともに、回収された印刷物を特定するための情報を送信する。なお、ユーザの識別情報は、例えばユーザＩＤであり、あらかじめ記憶部４４に記憶されているものとする。
【００４０】
表示制御部４５３は、入出力部４２に各種の画面を表示させる。まず、図６に示すように、表示制御部４５３は、認識部４５１がコードを読み取った際に、入出力部４２に後認証画面を表示させる。図６は、後認証画面の一例を示す図である。後認証画面は、画像形成装置３０によって出力された印刷物のうち、未回収の印刷物の一覧である。
【００４１】
図６に示すように、後認証画面には、画像形成装置３０の識別情報である「プリンタ名」、ユーザの識別情報である「ユーザＩＤ」が表示される。また、後認証画面には、出力済みの印刷物ごとに、印刷物を特定する情報である「ドキュメント名」、「ページ数」、「部数」、「出力完了時刻」、「出力完了チェック欄」が一覧表示される。
【００４２】
図６に示すように、後認証画面には、送信ボタン及び印刷物ごとのチェックボックス（出力完了チェック欄）が設けられている。ユーザは、回収した印刷物に対応するチェックボックスをチェックし、送信ボタンを押下する。送信ボタンが押下されると、送信部４５２は、チェック済みのチェックボックスに対応する「ドキュメント名」の値とユーザＩＤとをサーバ１０に送信する。
【００４３】
例えば、図６に示す状態で送信ボタンが押下された場合、送信部４５２は、印刷物を特定する情報である「aaa.txt」及び「bbb.pptx」とともに、ユーザＩＤ「111111」をサーバ１０に送信する。
【００４４】
［処理の流れ］
図７を用いて、サーバ１０による通知処理の流れを説明する。図７は、実施例１に係る通知処理の流れを示すフローチャートである。図７に示すように、まず、サーバ１０は、ユーザＩＤ及び印刷ジョブの入力を受け付ける（ステップＳ１０１）。次に、サーバ１０は、ユーザＩＤと印刷ジョブを対応付けて記憶する（ステップＳ１０２）。
【００４５】
そして、サーバ１０は、画像形成装置３０に印刷物の出力を指示する（ステップＳ１０３）。ここで、サーバ１０は、出力指示の後、所定時間経過後に印刷物の回収通知があった場合（ステップＳ１０４、Ｙｅｓ）、処理を終了する。一方、サーバ１０は、所定時間経過後に印刷物の回収通知がなかった場合（ステップＳ１０４、Ｎｏ）、回収を促すメッセージを通知する（ステップＳ１０５）。
【００４６】
［効果］
上述したように、サーバ１０は、第一のユーザの識別情報と印刷ジョブと該印刷ジョブの出力指示との入力を受け付ける。サーバ１０は、第一のユーザの識別情報と印刷ジョブとを対応付けて記憶する。サーバ１０は、印刷ジョブの出力指示を画像形成装置３０に送信した後、所定期間内に印刷ジョブに対応付けて記憶された第一のユーザの識別情報を受信しない場合に、第一のユーザに対し、所定の情報を通知する。このように、サーバ１０は、回収されていない印刷物が存在する場合、印刷を依頼したユーザにその旨を通知する。このため、実施例１によれば、ユーザによる印刷物の正確な回収を支援することができる。
【００４７】
サーバ１０は、第一のユーザに対する通知回数に基づいて、印刷ジョブの画像形成装置３０への出力を禁止する。これにより、ユーザに対して印刷物をなるべく早く回収することを促すことができる。
【００４８】
サーバ１０は、第一のユーザからの確認依頼の受信に応じて、入力を受け付けた印刷ジョブの出力指示を画像形成装置３０に送信した第一の時点から確認依頼を受信した第二の時点までの間に画像形成装置３０から受信した第一のユーザ以外の第二のユーザの識別情報を出力する。これにより、ユーザは印刷物を誤って回収したユーザを特定することができるため、セキュリティ性が向上する。
【実施例２】
【００４９】
実施例１では、サーバ１０に印刷を依頼したユーザが、印刷物の回収を行う場合について説明した。一方で、印刷を依頼したユーザは、他のユーザに代理で印刷物を回収させる場合がある。実施例２では、このように、印刷を依頼するユーザと印刷物を回収するユーザが異なる場合について説明する。
【００５０】
図８は、実施例２に係る印刷管理システムの処理の流れを示す図である。図８に示すように、まず、クライアント２０は、印刷を依頼するユーザの操作に応じて、印刷を依頼したユーザの識別情報、印刷物を回収するユーザの識別情報、印刷ジョブ及び印刷ジョブの出力指示をサーバ１０に送信する（ステップＳ２１）。ここで、印刷を依頼したユーザの識別情報及び印刷物を回収するユーザの識別情報は同じであってもよいし、異なっていてもよい。
【００５１】
サーバ１０は、クライアント２０から送信された各ユーザの識別情報、印刷ジョブ及び印刷ジョブの出力指示が入力されると、まず印刷ジョブに関する情報をジョブ管理テーブル１２１に登録する。ここで、ジョブ管理テーブル１２１は、実施例１と同様の項目に加え、「ReceiveUserID」という項目を有する。「ReceiveUserID」には、印刷物を回収するユーザの識別情報が格納される。
【００５２】
そして、サーバ１０は、画像形成装置３０に、印刷ジョブの出力を指示する（ステップＳ２２）。さらに、サーバ１０は、印刷ジョブの出力が完了したことをクライアント２０に通知する（ステップＳ２３）。
【００５３】
ここで、ユーザは、画像形成装置３０によって出力された印刷物を回収すると（ステップＳ２４）、印刷物を回収したことをサーバ１０に通知するための操作を行う（ステップＳ２５）。ここで、図８の例では、印刷を依頼したユーザのユーザＩＤは「111111」である。一方、印刷物を回収するユーザのユーザＩＤは「333333」である。このように、図８の例では、印刷を依頼したユーザと異なるユーザが印刷物を回収する。
【００５４】
例えば、ユーザは、画像形成装置３０に備え付けられたＩＣカードを端末４０に読み取らせる。このとき、端末４０は、画像形成装置３０に対応するＩＣカードを正常に読み取ることができた場合、ユーザの識別情報をサーバ１０に通知することで、印刷物が回収済みであることを通知する（ステップＳ２６）。そして、サーバ１０は、印刷物が回収されたことをクライアント２０に通知する（ステップＳ２７）。
【００５５】
実施例２におけるサーバ１０の構成は、実施例１のものと同様である。ただし、一部の処理部による処理内容が異なる。受付部１３１は、第一のユーザの識別情報と印刷ジョブと第一のユーザ以外の第二のユーザの識別情報との入力を受け付ける。記憶部１２は、印刷ジョブと第二のユーザの識別情報とを対応づけて記憶する。指示部１３２は、第二のユーザの識別情報を受信した場合に、第二のユーザの識別情報に対応づけられて記憶されていた印刷ジョブの出力指示を画像形成装置に送信する。通知部１３３は、出力指示の送信後の所定期間内に再度第二のユーザの識別情報を受信しない場合に、第一のユーザの識別情報に基づき第一のユーザに対し、所定の情報を通知する。
【００５６】
実施例２によれば、例えば印刷を依頼したユーザが、他のユーザに代理で印刷物を回収することを頼んだ場合であって、当該他のユーザが所定期間印刷物を回収しない場合に、印刷を依頼したユーザに対し印刷物の回収を促すことができる。これにより、印刷物が回収される確実性を高めることができる。
【実施例３】
【００５７】
実施例１では、サーバ１０が、印刷の依頼があった場合、すぐに画像形成装置３０に出力を指示する場合について説明した。一方で、サーバ１０は、印刷物を回収するユーザが、画像形成装置３０の位置に到着した後に出力を指示するようにしてもよい。
【００５８】
図９は、実施例３に係る印刷管理システムの処理の流れを示す図である。図９に示すように、まず、クライアント２０は、印刷を依頼するユーザの操作に応じて、ユーザの識別情報、印刷ジョブ及び印刷ジョブの出力指示をサーバ１０に送信する（ステップＳ３１）。
【００５９】
サーバ１０は、クライアント２０から送信されたユーザの識別情報、印刷ジョブ及び印刷ジョブの出力指示が入力されると、まず印刷ジョブに関する情報をジョブ管理テーブル１２１に登録する。
【００６０】
ここで、印刷物を回収に来たユーザは、端末４０で画像形成装置３０に備え付けられたＩＣカードを読み取る。そして、端末４０は、画像形成装置３０に対応するＩＣカードを正常に読み取ることができた場合、回収に来たユーザの識別情報をサーバ１０に通知することで、印刷物の出力を依頼する（ステップＳ３２）。
【００６１】
そして、サーバ１０は、画像形成装置３０に印刷ジョブの出力を指示する（ステップＳ３３）。さらに、サーバ１０は、印刷ジョブの出力が完了したことをクライアント２０に通知する（ステップＳ３４）。
【００６２】
ここで、ユーザは、画像形成装置３０によって出力された印刷物を回収すると（ステップＳ３５）、印刷物を回収したことをサーバ１０に通知するための操作を行う（ステップＳ３６）。
【００６３】
例えば、ユーザは、画像形成装置３０に備え付けられたＩＣカードを端末４０に読み取らせる。このとき、端末４０は、画像形成装置３０に対応するＩＣカードを正常に読み取ることができた場合、ユーザの識別情報をサーバ１０に通知することで、印刷物が回収済みであることを通知する（ステップＳ３７）。そして、サーバ１０は、印刷物が回収されたことをクライアント２０に通知する（ステップＳ３８）。
【００６４】
実施例３におけるサーバ１０の構成は、実施例１のものと同様である。ただし、一部の処理部による処理内容が異なる。受付部１３１は、第一のユーザの識別情報と印刷ジョブとの入力を受け付ける。記憶部１２は、第一のユーザの識別情報と印刷ジョブとを対応付けて記憶する。指示部１３２は、第一のユーザの識別情報を受信した場合に、第一のユーザの識別情報に対応付けて記憶された印刷ジョブの出力指示を画像形成装置に送信する。
通知部１３３は、出力指示の送信後、所定期間内に再度第一のユーザの識別情報を受信しない場合に第一のユーザに対し、所定の情報を通知する。
【００６５】
実施例３によれば、印刷物を回収するユーザが画像形成装置３０の位置に到着した後に印刷が開始されることになるので、印刷物が誤って回収されることを防止することができる。
【実施例４】
【００６６】
実施例２と実施例３を同時に実施することも可能である。すなわち、実施例４では、印刷を依頼したユーザと印刷物を回収するユーザが異なり、さらに、サーバ１０は、印刷物を回収するユーザが画像形成装置３０の位置に到着した後に出力を指示する。
【００６７】
図１０は、実施例４に係る印刷管理システムの処理の流れを示す図である。図１０に示すように、まず、クライアント２０は、印刷を依頼するユーザの操作に応じて、印刷を依頼したユーザの識別情報、印刷物を回収するユーザの識別情報、印刷ジョブ及び印刷ジョブの出力指示をサーバ１０に送信する（ステップＳ４１）。
【００６８】
サーバ１０は、クライアント２０から送信された各ユーザの識別情報、印刷ジョブ及び印刷ジョブの出力指示が入力されると、まず印刷ジョブに関する情報をジョブ管理テーブル１２１に登録する。ここで、ジョブ管理テーブル１２１は、実施例２と同様に項目「ReceiveUserID」を有する。
【００６９】
ここで、印刷物を回収に来たユーザは、端末４０で画像形成装置３０に備え付けられたＩＣカードを読み取る。そして、端末４０は、画像形成装置３０に対応するＩＣカードを正常に読み取ることができた場合、回収に来たユーザの識別情報をサーバ１０に通知することで、印刷物の出力を依頼する（ステップＳ４２）。
【００７０】
そして、サーバ１０は、画像形成装置３０に印刷ジョブの出力を指示する（ステップＳ４３）。さらに、サーバ１０は、印刷ジョブの出力が完了したことをクライアント２０に通知する（ステップＳ４４）。
【００７１】
ここで、ユーザは、画像形成装置３０によって出力された印刷物を回収すると（ステップＳ４５）、印刷物を回収したことをサーバ１０に通知するための操作を行う（ステップＳ４６）。
【００７２】
例えば、ユーザは、画像形成装置３０に備え付けられたＩＣカードを端末４０に読み取らせる。このとき、端末４０は、画像形成装置３０に対応するＩＣカードを正常に読み取ることができた場合、ユーザの識別情報をサーバ１０に通知することで、印刷物が回収済みであることを通知する（ステップＳ４７）。そして、サーバ１０は、印刷物が回収されたことをクライアント２０に通知する（ステップＳ４８）。
【００７３】
図１１を用いて、サーバ１０による通知処理の流れを説明する。図１１は、実施例４に係る通知処理の流れを示すフローチャートである。図１１に示すように、まず、サーバ１０は、第一のユーザＩＤ、第二のユーザＩＤ及び印刷ジョブの入力を受け付ける（ステップＳ４０１）。次に、サーバ１０は、各ユーザＩＤと印刷ジョブを対応付けて記憶する（ステップＳ４０２）。第一のユーザＩＤは、印刷を依頼したユーザのユーザＩＤである。また、第二のユーザＩＤは、印刷物を回収するユーザのユーザＩＤである。
【００７４】
ここで、サーバ１０は、第二のユーザＩＤを受け付けるまで待機する（ステップＳ４０３、Ｎｏ）。つまり、サーバ１０は、印刷物を回収するユーザによる印刷物の出力依頼があるまで待機する。
【００７５】
そして、サーバ１０は、第二のユーザＩＤを受け付けると（ステップＳ４０３、Ｙｅｓ）、画像形成装置３０に印刷物の出力を指示する（ステップＳ４０４）。ここで、サーバ１０は、出力指示の後、所定時間経過後に印刷物の回収通知があった場合（ステップＳ４０５、Ｙｅｓ）、処理を終了する。一方、サーバ１０は、所定時間経過後に印刷物の回収通知がなかった場合（ステップＳ４０５、Ｎｏ）、回収を促すメッセージを通知する（ステップＳ４０６）。
【００７６】
なお、上記の実施例では、印刷物の回収を促すメッセージ及び印刷ジョブの履歴がクライアント２０に通知されるものとして説明した。一方で、印刷物の回収を促すメッセージ及び印刷ジョブの履歴は、端末４０に通知されてもよい。この場合、回収依頼通知画面及び回収履歴画面は、端末４０により表示されることになる。また、逆に、印刷の依頼はクライアント２０が行うものとして説明したが、端末４０が印刷の依頼を行うようにしてもよい。
【００７７】
［システム］
上記文書中や図面中で示した処理手順、制御手順、具体的名称、各種のデータやパラメータを含む情報については、特記する場合を除いて任意に変更することができる。また、実施例で説明した具体例、分布、数値等は、あくまで一例であり、任意に変更することができる。
【００７８】
また、図示した各装置の各構成要素は機能概念的なものであり、必ずしも物理的に図示の如く構成されていることを要しない。すなわち、各装置の分散や統合の具体的形態は図示のものに限られない。つまり、その全部又は一部を、各種の負荷や使用状況等に応じて、任意の単位で機能的又は物理的に分散・統合して構成することができる。さらに、各装置にて行なわれる各処理機能は、その全部又は任意の一部が、ＣＰＵ及び当該ＣＰＵにて解析実行されるプログラムにて実現され、あるいは、ワイヤードロジックによるハードウェアとして実現され得る。
【００７９】
［ハードウェア］
図１２は、ハードウェア構成例を説明する図である。図１２に示すように、サーバ１０は、通信インタフェース１０ａ、ＨＤＤ（Hard  Disk  Drive）１０ｂ、メモリ１０ｃ、プロセッサ１０ｄを有する。また、図１４に示した各部は、バス等で相互に接続される。
【００８０】
通信インタフェース１０ａは、ネットワークインタフェースカード等であり、他のサーバとの通信を行う。ＨＤＤ１０ｂは、図２に示した機能を動作させるプログラムやＤＢを記憶する。
【００８１】
プロセッサ１０ｄは、図２に示した各処理部と同様の処理を実行するプログラムをＨＤＤ１０ｂ等から読み出してメモリ１０ｃに展開することで、図２等で説明した各機能を実行するプロセスを動作させる。すなわち、このプロセスは、サーバ１０が有する各処理部と同様の機能を実行する。具体的には、プロセッサ１０ｄは、受付部１３１、指示部１３２及び通知部１３３と同様の機能を有するプログラムをＨＤＤ１０ｂ等から読み出す。そして、プロセッサ１０ｄは、受付部１３１、指示部１３２及び通知部１３３等と同様の処理を実行するプロセスを実行する。プロセッサ１０ｄは、例えば、ＣＰＵ、ＭＰＵ、ＡＳＩＣ等のハードウェア回路である。
【００８２】
このようにサーバ１０は、プログラムを読み出して実行することで分類方法を実行する情報処理装置として動作する。また、サーバ１０は、媒体読取装置によって記録媒体から上記プログラムを読み出し、読み出された上記プログラムを実行することで上記した実施例と同様の機能を実現することもできる。なお、この他の実施例でいうプログラムは、サーバ１０によって実行されることに限定されるものではない。例えば、他のコンピュータ又はサーバがプログラムを実行する場合や、これらが協働してプログラムを実行するような場合にも、本発明を同様に適用することができる。
【００８３】
このプログラムは、インターネット等のネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）等のコンピュータで読み取り可能な記録媒体に記録され、コンピュータによって記録媒体から読み出されることによって実行することができる。
【符号の説明】
【００８４】
１  印刷管理システム
１０  サーバ
１１、４１  通信部
１２、４４  記憶部
１３、４５  制御部
２０  クライアント
３０  画像形成装置
４０  端末
４２  入出力部
４３  センサ
１２１  ジョブ管理テーブル
１３１  受付部
１３２  指示部
１３３  通知部
４５１  認識部
４５２  送信部
４５３  表示制御部
【図１】
2020201680.tif 000003
【図２】
2020201680.tif 000004
【図３】
2020201680.tif 000005
【図４】
2020201680.tif 000006
【図５】
2020201680.tif 000007
【図６】
2020201680.tif 000008
【図７】
2020201680.tif 000009
【図８】
2020201680.tif 000010
【図９】
2020201680.tif 000011
【図１０】
2020201680.tif 000012
【図１１】
2020201680.tif 000013
【図１２】
2020201680.tif 000014